(57)【要約】【課題】水栓装置の内部に浸入した水を排水することができると共に、排水が壁に沿って水が垂れて流れるのを防止でき、壁が汚れないようにできる。残水が水滴となって落下するのを防止する。【解決手段】水栓装置本体１に設けた回動自在な操作レバー２を、水栓装置本体１を覆うカバー３の前面開口部４から前方に向けて回動自在に突出させる。カバー３の下カバー部８の内面の後端部よりも前方にずれた位置に上方に向けて突出する堤突条５を左右方向にわたって形成する。下カバー部８の堤突条５の前方側に排水孔６を形成する。下カバー部８の下面に排水孔６の縁に隣接して凹乃至凸の下筋条部１２を形成する。【選択図】図１
2010007291.tif 000002
【特許請求の範囲】
【請求項１】
水栓装置本体に設けた回動自在な操作レバーを、水栓装置本体を覆うカバーの前面開口部から前方に向けて回動自在に突出させ、カバーの下カバー部の内面の後端部よりも前方にずれた位置に上方に向けて突出する堤突条を左右方向にわたって形成し、下カバー部の堤突条の前方側に排水孔を形成し、下カバー部の下面に上記排水孔の縁に隣接して凹乃至凸の下筋条部を形成して成ることを特徴とする水栓装置における排水構造。
【請求項２】
前記排水孔を左右方向に細長く形成し、該排水孔の左右両端縁に隣接して下筋条部を形成して成ることを特徴とする請求項１記載の水栓装置における排水構造。
【請求項３】
左右方向に細長い前記排水孔を左右方向に複数並設し、隣接する排水孔の左右方向の端縁間に下筋条部を形成して成ることを特徴とする請求項１又は請求項２記載の水栓装置における排水構造。
【請求項４】
前記下カバー部の内面の上記前面開口部付近から堤突条付近に至る部分に、前後方向の凹乃至凸の上筋条部を複数形成して成ることを特徴とする請求項１記載の水栓装置における排水構造。
【発明の詳細な説明】
【技術分野】
【０００１】
本発明は、水栓装置の内部に浸入した水を排水するための技術に関するものである。
【背景技術】
【０００２】
浴室の壁から突設したカウンターに給水装置を取付け、カウンターの下方の壁と水栓装置との間に水栓装置に接続する配管を配置し、カウンターの下方に下カバーを取付けて水栓装置、配管を覆うものが従来から特許文献１により知られている。
【０００３】
この特許文献１にあっては、下カバーの後端部である壁側端部付近に排水孔を設けて、下カバーの上面側に浸入した水をこの排水孔から下方に排水するようになっている。しかしながら、この従来例にあっては、排水孔から水を排出した後、残水の水滴が排水孔からポタポタと落ち、水漏れと間違われる可能性があり、また、残水の滴下により不快感があり、床等を汚し、清掃の手間がかかるという問題がある。
【特許文献１】特開２００４−１８３３５２号公報
【発明の開示】
【発明が解決しようとする課題】
【０００４】
本発明は上記の従来の問題点に鑑みて発明したものであって、水栓装置の内部に浸入した水を排水することができると共に、壁に沿って水が垂れて流れるのを防止できて、壁が汚れないようにでき、また、残水の水滴が排水孔からポタポタと落ちるのを防止し、更に、内部に滞留するのを防止してスムーズに排水できる水栓装置における排水構造を提供することを課題とするものである。
【課題を解決するための手段】
【０００５】
上記課題を解決するために本発明に係る水栓装置における排水構造は、水栓装置本体１に設けた回動自在な操作レバー２を、水栓装置本体１を覆うカバー３の前面開口部４から前方に向けて回動自在に突出させ、カバー３の下カバー部８の内面の後端部よりも前方にずれた位置に上方に向けて突出する堤突条５を左右方向にわたって形成し、下カバー部８の堤突条５の前方側に排水孔６を形成し、下カバー部８の下面に上記排水孔６の縁に隣接して凹乃至凸の下筋条部１２を形成して成ることを特徴とするものである。
【０００６】
このような構成とすることで、前面開口部４から前方に突出する操作レバー２を回動操作するようにしたものにおいて、前面開口部４から内部に浸入した水を堤突条５で止めて、堤突条５の前方側に形成した排水孔６から下方に排水でき、カバー３の内部に浸入した水が下カバー部８内において後端に流れることがなく、したがって、下カバー部８内を壁１４まで流れて壁１４に沿って水が垂れ流されるということがない。また、排水孔６から水を排出した後、残水の水滴が排水孔６の縁から、下カバー部８の下面に形成した排水孔６の縁に隣接した下筋条部１２に伝い流れて、下筋条部１２に沿って流れながら壁１４側に逃がし、排水孔６からポタポタと落ちるのが防止される。壁１４側に逃がした残水はごく少量であるため、壁１４を汚さない程度となる。
【０００７】
また、排水孔６を左右方向に細長く形成し、該排水孔６の左右両端縁に隣接して下筋条部１２を形成することが好ましい。
【０００８】
このような構成とすることで、残水の水滴が、左右方向に細長い排水孔６の縁に沿って左右両端縁に集まり、排水孔６の左右両端縁から下筋条部１２を伝って逃がされることになり、残水の水滴が排水孔６からポタポタと落ちるのが防止される。
【０００９】
また、左右方向に細長い排水孔６を左右方向に複数並設し、隣接する排水孔６の左右方向の端縁間に下筋条部１２を形成することが好ましい。
【００１０】
このような構成とすることで、両側の排水孔６の左右方向の端部に集まった残水の水滴を、隣接する排水孔６の左右方向の端縁間に形成した下筋条部１２によりスムーズに逃がすことができる。
【００１１】
また、下カバー部８の内面の上記前面開口部４付近から堤突条５付近に至る部分に、前後方向の凹乃至凸の上筋条部７を複数形成することが好ましい。
【００１２】
このような構成とすることで、下カバー部８の内面が水栓金具本体１に接触するような場合であっても、内部に浸入した水が水栓金具本体１で遮られることがなく、前後方向の凹乃至凸の上筋条部７によりスムーズに堤突条５側に導くことができる。
【発明の効果】
【００１３】
本発明は、上記のように、カバーの下カバー部の内面の後端部よりも前方にずれた位置に、上方に向けて突出する堤突条を左右方向にわたって形成し、下カバー部の該堤突条の前方側に排水孔を形成したので、カバーの操作レバーを突出させた前面開口部から内部に浸入した水を全て堤突条で止めて排水孔から排水でき、これによりカバーの後端、つまり、壁に沿って水が垂れて流れるのを防止でき、壁が汚れない。また、下カバー部の堤突条の前方側に左右方向に細長くなった排水孔を形成し、下カバー部の下面に排水孔の縁に隣接して凹乃至凸の下筋条部を形成してあるので、排水孔から水を排出した後、残水の水滴を下カバー部の下面に排水孔の縁から下筋条部に伝い流して逃がすことができて、残水の水滴が排水孔からポタポタと落ちるのを防止でき、水漏れと間違われるということがなく、残水水滴の滴下による不快感がない。
【００１４】
また、排水孔を左右方向に細長く形成し、該排水孔の左右両端縁に隣接して下筋条部を形成することで、残水の水滴を、スムーズに排水孔の左右両端縁から下筋条部に伝い流して逃がすことができ、残水の水滴が排水孔からポタポタと落ちるのを確実に防止できる。
【００１５】
また、左右方向に細長い排水孔を左右方向に複数並設し、隣接する排水孔の左右方向の端縁間に下筋条部を形成することで、両側の排水孔の左右方向の端部に集まった残水の水滴を、隣接する排水孔の左右方向の端縁間に形成した下筋条部によりスムーズに逃がすることができる。
【００１６】
また、下カバー部の内面の上記前面開口部付近から堤突条付近に至る部分に、前後方向の凹乃至凸の上筋条部を複数形成することで、下カバー部の内面が水栓金具本体に接触するような場合であっても、水栓金具本体で浸入した水が遮られることなく、前後方向の凹乃至凸の上筋条部によりスムーズに堤突条側に導くことができ、水が途中で滞留しない。
【発明を実施するための最良の形態】
【００１７】
以下、本発明を添付図面に示す実施形態に基いて説明する。
【００１８】
本発明の水栓装置Ａは、水栓装置本体１と、該水栓装置本体１を覆うカバー３とで構成してある。
【００１９】
水栓装置本体１は図１に示すように、添付図面に示す実施形態では、取付け金具１１に水栓ユニット９と湯温調整ユニット１０とを取付けることで構成してある。
【００２０】
取付け金具１１は図７、図９に示す実施形態においては、前片１１ａの左右両端部から後方に向けて側片１１ｂを一体に連出したものである。両側片１１ｂの後端部には固定部１３が設けてあり、固定部１３を壁１４に対して固定するようになっている。
【００２１】
また、前片１１ａには配管の端部の接続部分を嵌め込むための複数の孔１５が設けてあり、各孔１５から水供給配管１６の先端部に設けられた水供給用接続部１７、湯供給用配管１８の先端に設けられた湯供給用接続部１９、接続管２０の両端部の接続部２１ａ、２１ｂ、シャワー用配管２２の接続部２３が前方に向けて突出するように設置されるようになっている。
【００２２】
また、前片１１ａには湯温調整ユニット取付け部２４と水栓ユニット取付け部２５とが設けてある。
【００２３】
更に、両側片１１ｂにはカバー取付け部２６が設けてある。
【００２４】
湯温調整ユニット１０は、軸方向の一側端が閉塞し且つ軸方向の他側端が開口した第１シリンダ２７内に湯温調整装置２９を挿入し、且つ、第１シリンダ２７の軸方向の一側端部の外側に湯温調整装置２９の第１操作レバー３０を突出させて構成してある。
【００２５】
湯温調整ユニット１０の第１シリンダ２７には、上記取付け金具１１に設けた湯温調整ユニット取付け部２４に着脱自在に取付けるための被取付け部２８が設けてある。また、この第１シリンダ２７の後部には、湯温調整装置２９よりも上流側となる水流入用接続部３７と湯流入用接続部３８とが後方に向けて突設してあり、更に、湯温調整装置２９よりも下流側に、混合された湯水の出口部５７が後方に向けて突設してある。
【００２６】
水栓ユニット９は上記湯温調整ユニット１０とは別体のもので、前記第１シリンダ２７とは別の第２シリンダ３１内に開閉弁３２を備えたもので、添付図面に示す実施形態においては、軸方向の両端部が開口した第２シリンダ３１内にそれぞれ両開口から開閉弁３２をそれぞれ挿入し、且つ、第２シリンダ３１の軸方向の両端部の外側に、それぞれ各開閉弁３２の操作レバー２、２ａを突出させて構成してある。本実施形態では１つの第２シリンダ３１に２つの開閉弁３２を装着した例が示してある。
【００２７】
水栓ユニット９の第２シリンダ３１には、上記取付け金具１１に設けた水栓ユニット取付け部２５に着脱自在に取付けるための被取付け部３３が設けてある。また、この第２シリンダ３１の後部には、開閉弁３２よりも上流側となる湯水の入口部３４が設けてあり、更に、各開閉弁３２よりも下流側にそれぞれ湯水の吐出部３５、３５が設けてある。２つの吐出部３５、３５のうちの１つは第２シリンダ３１の下面部に設けられたカラン用の吐出部３５ａであり、他の１つは第２シリンダ３１の後部から突出するシャワー用の吐出部３５ｂである。
【００２８】
上記の構成の湯温調整ユニット１０と、これとは別体の水栓ユニット９は、上記取付け金具１１の前片１１ａの前面側にそれぞれ独立して着脱自在に取付ける。
【００２９】
すなわち、湯温調整ユニット１０は、取付け金具１１の水供給用接続部１７と湯供給用接続部１９とに、それぞれ湯温調整ユニット１０の水流入用接続部３７と湯流入用接続部３８とを着脱自在に接続すると共に、図２に示すように、湯温調整ユニット取付け部２４に湯温調整ユニット１０の被取付け部２８を、ねじ具のような固着具３６で着脱自在に取付ける。
【００３０】
また、水栓ユニット９は、図１に示すように、取付け金具１１の水栓ユニット取付け部２５に、水栓ユニット９の被取付け部３３をねじ具のような固着具３６で着脱自在に取付ける。
【００３１】
また、接続管２０の両端部の接続部２１ａ、２１ｂを、それぞれ湯温調整ユニット１０の出口部５７と水栓ユニット９の入口部３４とに着脱自在に接続する。
【００３２】
更に、水栓ユニット９のシャワー用の吐出部３５ｂを、シャワー用配管２２の接続部２３に接続する。このシャワー用配管２２にはシャワーホースの後端部を接続する。
【００３３】
このように、取付け金具１１の前面に湯温調整ユニット１０と、該湯温調整ユニット１０とは別体の水栓ユニット９とをそれぞれ独立して着脱自在に取付けるのであるが、湯温調整ユニット１０と水栓ユニット９とは各ユニットのシリンダ２７、３１の軸芯が略ほぼ一致するように一列に並設した状態で取付け金具１１の前側に取付けるものであり、また、並設した各ユニットはそれぞれ固着具３６を外すことで、独立して前方に取り外すことが可能となっている。
【００３４】
取付け金具１１に各ユニット９、１０を固着具３６を用いて着脱自在に取付けたり、取り外したりする操作は、取付け金具１１の前片１１ａの前方において下方から治具を操作することで固着具３６による着脱操作ができるように構成してある。
【００３５】
上記のように、取付け金具１１の前面側に湯温調整ユニット１０と、該湯温調整ユニット１０とは別体の水栓ユニット９とを軸方向に並設して取付けた後、これらをカバー３で覆って水栓装置Ａを組み立て構成する。
【００３６】
上記カバー３は、形成される水栓装置Ａの外郭を構成するもので、下カバー部８と上カバー部３９とで構成してあり、添付図面に示す実施形態では下カバー部８は、更に、下前カバー部８ａと下後カバー部８ｂとで構成してある。
【００３７】
上記下後カバー部８ｂと、下前カバー部８ａと、上カバー部３９にはそれぞれ被取付け部４０が設けてあって、下後カバー部８ｂ、下前カバー部８ａ、上カバー部３９の各被取付け部４０をそれぞれ取付け金具１１のカバー取付け部２６に、固着具３６を用いて着脱自在に取付けるようになっている。
【００３８】
ここで、下後カバー部８ｂと、下前カバー部８ａはいずれも、下後カバー部８ｂと、下前カバー部８ａの下方から固着具３６を操作して取付けるようになっており、固着具３６が下後カバー部８ｂと、下前カバー部８ａの下面に位置するので、湯温調整機能付き水栓装置Ａの使用側である正面側から上記下後カバー部８ｂと下前カバー部８ａを取付ける固着具３６が見えないようになっている。
【００３９】
下前カバー部８ａは図７、図９に示すように、後端部に被取付け部４０を設けてあり、下前カバー部８ａの内面の上記被取付け部４０を設けた部分よりも前方にずれた位置に、上方に向けて堤突条５を左右方向にわたって突出してある。ここで、添付図面に示す実施形態では、下前カバー部８ａの後部の左右方向の略中央部には、シャワー用配管２２を通す孔４１が形成してあり、この孔４１の縁部は上方に突出した突出縁部４２となっており、突出縁部４２のうち前半部が堤突条５の左右方向の略中間部分を構成している。また、下前カバー部８ａの上記シャワー用配管２２を通す孔４１より前方位置に、カラン用の吐出部３５ａを嵌め込むための孔４３が形成してあり、該孔４３の縁部は上方に突出した突出縁部４４となっている。このように孔４１、４３の縁部をそれぞれ突出縁部４２、４４とすることで、下前カバー部８ａの内面に浸入した水が孔４１、４３から流れないようにしてある。
【００４０】
また、下前カバー部８ａの前記堤突条５の前方側に排水孔６を形成してあり、排水孔６は左右方向に細長い長い長孔で、横方向に複数個一列に形成してある。
【００４１】
下前カバー部８ａの下面には、上記排水孔６の縁に隣接して凹乃至凸の下筋条部１２を形成してある。
【００４２】
下筋条部１２は前後方向に長いもので、この前後方向に長い下筋条部１２の前後方向の一部が、左右方向に細長い排水孔６の左右両端縁に僅かな距離を介して隣接するように形成してある。また、隣接する排水孔６の左右方向の端縁間においては、排水孔６の端部間の中間位置に下筋条部１２が配置してある。いずれの下筋条部１２も各後端が下前カバー部８の後端まで至っている。
【００４３】
下前カバー部８ａの内面の上記前面開口部４付近から堤突条５付近に至る部分に、前後方向の凹乃至凸の上筋条部７を複数形成してある。添付図面に示す実施形態においては凸の上筋条部７を前後方向に複数列形成してあり、上筋条部７の前端は下前カバー部８ａの前部の前上方に向けて円弧状に突出する円弧状部４５の内面の上端まで至っており、凸の上筋条部７の前部の上記円弧状部４５の内面に突設した部分は、円弧状部４５と同じように円弧状となっている。
【００４４】
上記構成の下前カバー部８ａの堤突条５よりも前方の部位の内面は、堤突条５側ほど低くなるように傾斜している。
【００４５】
下後カバー部８ｂは断面略Ｌ字状をしていて、前端が最も高い位置となり、後端が最も低い位置となっている。
【００４６】
取付け金具１１に、下後カバー部８ｂ、下前カバー部８ａとを取付けた状態で、下後カバー部８の前端が図１に示すように下前カバー部８ａの下面の後端部に当接している。
【００４７】
上カバー部３９は上方から固着具３６を操作して取付けるようになっていて、固着具３６の頭部が上カバー部３９の上面部の後部に存在することになるが、取付け金具１１を壁１４に取付けた場合、壁１４から前方に突出して取付けたカウンター４７の下面部に、上カバー部３９の後部が重なるように取付けられるため、上記上カバー部３９を取付ける固着具３６が湯温調整機能付き水栓装置Ａの使用側である正面側から見えないようになっている。
【００４８】
添付図面に示す実施形態においては、湯温調整装置２９の第１操作レバー３０、２個の開閉弁３２の操作レバー２、２ａにはいずれもシリンダ２７、３１の軸芯を中心に回動する回動部４８、４９から前方に操作板５０、５１、５１ａを突設してある。一方の開閉弁３２の第２操作レバー２の前方に突出した第２操作板５１、他方の開閉弁３２の第３操作レバー２ａの前方に突出した第３操作板５１ａがカウンター４７の下面側に重ねられたカバー３の前面開口部４（カバー３の前面開口部４はカウンター４７の前端と前後方向において一致している）から前方に突出し、上記２つの操作板５１、５１ａがそれぞれカウンター４７の前方においてシリンダ２７、３１の軸芯を中心に回動操作自在となっている。
【００４９】
前記２個の開閉弁３２の操作レバー２、２ａにはいずれも回動部４９の外周部の一部から軸方向に断面円弧状をした覆い部５４が一体に突設してあり、操作板５１、５１ａが前方に突出しているカバー３の前面開口部４が覆い部５４により覆われるようになっていて、操作板５１、５１ａを回動しても前面開口部４の内部が見えないようになっている。
【００５０】
また、湯温調整装置２９の第１操作レバー３０の前方に突出した第１操作板５０、上カバー部３９の前部に設けた板状をしたダミー操作板５２が、カウンター４７の下面側の前端部から前方に突出し、第１操作板５０は回動自在となっており、ダミー操作板５２は突出しているのみで回動はできない。
【００５１】
第１操作レバー３０の第１操作板５０を操作することで、水流入用接続部３７、湯流入用接続部３８から湯温調整ユニット１０内に流入する水と湯との混合割合を湯温調整装置２９で調整して、湯温調整を行うことができるようになっている。
【００５２】
湯温調整ユニット１０の湯温調整装置２９で湯水の混合が調整された湯温調整済の湯水は、接続管２０を経て水栓ユニット９の第２シリンダ３１内に供給される。
【００５３】
そして、一方の開閉弁３２の第２操作レバー２の第２操作板５１を回動操作することで、該一方の開閉弁３２の開閉及び開度合いの調整（吐水量の調整）を行い、カラン用の吐出部３５ａからの湯水の吐水又は吐水停止、吐水時の吐水量の調整を行う。
【００５４】
また、他方の開閉弁３２の操作レバー２ａの第３操作板５１ａを回動操作することで、該他方の開閉弁３２の開閉及び開度合いの調整（吐水量の調整）を行い、シャワーホースに設けたシャワーヘッドからの湯水の吐水又は吐水停止、吐水時の吐水量の調整を行う。
【００５５】
上記のような構成の水栓装置Ａにおいて、操作レバー２、２ａの前端部の操作板５１、５１ａは前面開口部４から前方に突出して回動自在となっているので、前面開口部４を内部が見えないように覆っている覆い部５４と、前面開口部４の縁部との間からカバー３内に水が浸入する。
【００５６】
カバー３内に浸入した水は堤突条５側に向けて流れ、浸入した水は堤突条５により完全に遮られて後方に流れることなく、堤突条５の前に形成した排水孔６から下方に排水される。したがって、カバー３内に浸入した水が、下前カバー部８ａ内から下後カバー部８ｂ内に流れることはなく、下カバー部８の後端（つまり下後カバー部８ｂの後端）から壁１４に沿って流れないようになっている。したがって、本発明においては、カバー３内に浸入した水が壁１４に沿って垂れ流されることによる壁１４の汚れを防止できる。
【００５７】
また、下カバー部８の内面の上記前面開口部４付近から堤突条５付近に至る部分に前後方向の凹乃至凸の上筋条部７を複数形成してあるので、本発明は下カバー部８の内面を水栓金具本体１に接触するように取付けることができる。つまり、下カバー部８の内面を水栓金具本体１に接触して取付けると、下カバー部８（下前カバー部８ａ）と水栓金具本体１との接触部分で水が遮られて溜まるおそれがあるが、本発明においては、下前カバー部８ａと水栓金具本体１との接触部分において上筋条部７を水が流れ、この部分に水が溜まるおそれがなく、スムーズに排水孔６側に流すことができる。
【００５８】
ここで、添付図面に示す実施形態においては、図１に示すように下前カバー部８ａの上筋条部７の上に水栓金具本体１の一部を構成する操作レバー２、２ａに設けた円弧状をした覆い部５４が摺接するように構成してあり、覆い部５４に付着して覆い部５４の回動によりカバー３内に浸入した水が下前カバー部８ａと覆い部５４との摺接部分において上筋条部７を水がスムーズに流れることになる。なお、添付図面に示す実施形態においては図２に示すように湯温調整ユニット１０の第１シリンダ２７も下前カバー部８ａの上筋条部７と接しているが、カバー３の内部に浸入した水が、第１シリンダ２７と下前カバー部８ａとの接触部分においては上筋条部７を水がスムーズに流れ、この部分に水が滞留しないようになっている。
【００５９】
前述のようにしてカバー３内に入った水を排水孔６から排水し、また、カバー３内部に水が滞留しないようにするのであるが、排水孔６から水を排出した後、残水の水滴が排水孔６からポタポタと滴下するおそれがある。
【００６０】
そこで、本発明は、以下のようにして排水孔６から残水の水滴がポタポタと滴下しないようにしている。
【００６１】
すなわち、排水孔６から水を排出した後、残水の水滴が排水孔６の縁に集まるが、この排水孔６の縁に集まった残水の水滴は、左右方向に細長くなった排水孔６の縁に沿って左右方向に細長い排水孔６の左右両端に伝わり、下前カバー部８ａの下面に形成した排水孔６の縁に隣接した下筋条部１２に伝って逃がされ、下筋条部１２に沿って流れながら排水され、排水孔６からポタポタと落ちるのが防止される。
【００６２】
下筋条部１２に伝い流れた残水の水滴は、下前カバー部８ａの下面が後ほど下となるように傾斜しているので、下筋条部１２を伝って後方に流れ、下前カバー部８ａの下面後端部に下後カバー部８ｂの前端が当接している箇所まで至り、下筋条部１２から下後カバー部８ｂの外面側に流れ、下後カバー部８ｂの外面を伝って、壁１４側に流れる。
【００６３】
ここで、排水孔６から排水した後の残水の水滴はもともとごく少量であるため、上記下筋条部１２を伝って流れ、更に、下筋条部１２から下後カバー部８ｂの外面を伝って壁１４側に流れる過程で、蒸発などにより減少していき、残水が壁１４に至ったとしても少量であり、ごく僅かな残水の一部が壁１４に沿って流れることになり、ほとんど壁１４を汚すことがない。
【００６４】
ここで、排水孔６を左右方向に細長く形成することで、残水の水滴をスムーズに左右方向の両端縁に伝えることができる。
【００６５】
図１１（ａ）（ｂ）にはより排水孔６の両端縁に残水の水滴を伝え易いようにした排水孔６の例が示してある。図１１（ａ）に示す排水孔６は、左右に細長くなった排水孔６の左右方向の中間部分が前に位置し、左右両側に行くほど後に位置するように略へ字状となったものであり、下前カバー部８ａが後にいくほど下となるように傾斜しているので、排水孔６の中間のレベルが高く、左右両端のレベルが低くなっており、このため、排水孔６の縁の中間に位置する水滴が、重力により左右両端縁側に伝わり易くなっている。
【００６６】
また、図１１（ｂ）に示す排水孔６は、左右方向に細長くなった排水孔６の左右方向の中間部分の巾が広く、左右両側に行くほど次第に巾が狭くなるように形成してあり、排水孔６の縁の中間に位置する水滴が、表面張力により巾の狭くなった左右両端縁側に伝わり易くなっている。
【００６７】
下カバー部８の下面に、左右方向に細長くなった排水孔６の左右方向の端縁に隣接して下筋条部１２を形成する場合、排水孔６の端縁から隣接する下筋条部１２までの巾寸法は、短すぎると、排水孔６の端縁から下筋条部１２にうまく水滴が伝わらず下に滴下し、また、広すぎると、排水孔６の端縁から下筋条部１２に速やかに水滴が伝わらないので、排水孔６の端縁から隣接する下筋条部１２までの巾寸法は、水滴が流れる最適巾にする。
【００６８】
上記実施形態においては、下カバー部８を下前カバー部８ａと下後カバー部８ｂとに分割した例で示したが、下前カバー部８ａと下後カバー部８ｂを一体に成形して下カバー部８を形成してもよい。
【００６９】
また、上記実施形態においては、取付け金具１１に水栓ユニット９と湯温調整ユニット１０とを取付けて水栓装置本体１を構成し、該水栓金具本体１をカバー３で覆って水栓金具Ａを構成した例を示したが、湯温調整ユニット１０を設けることなく、取付け金具１１に水栓ユニット９を取付けてカバーで覆うことで水栓金具Ａを構成してもよく、また、湯温調整ユニット１０、取付け金具１１を設けることなく、水栓ユニット９をカバーで覆うことで水栓金具Ａを構成してもよい。
【図面の簡単な説明】
【００７０】
【図１】本発明の湯温調整機能付き水栓装置を示し、図４のＸ−Ｘ線の断面図である。
【図２】同上の図４のＹ−Ｙ線の断面図である。
【図３】同上の図４のＺ−Ｚ線の断面図である。
【図４】同上の平面図である。
【図５】同上の前方から見た斜視図である。
【図６】同上の下面図である。
【図７】同上の前方から見た分解斜視図である。
【図８】同上の背方から見た斜視図である。
【図９】同上に背方から見た分解斜視図である。
【図１０】同上に前方から見た一部分解した斜視図である。
【図１１】（ａ）（ｂ）はそれぞれ同上の排水孔の他例を示す下面図である。
【符号の説明】
【００７１】
１  水栓装置本体
２  操作レバー
３  カバー
４  前面開口部
５  堤突条
６  排水孔
７  上筋条部
８  下カバー部
【図１】
2010007291.tif 000003
【図２】
2010007291.tif 000004
【図３】
2010007291.tif 000005
【図４】
2010007291.tif 000006
【図５】
2010007291.tif 000007
【図６】
2010007291.tif 000008
【図７】
2010007291.tif 000009
【図８】
2010007291.tif 000010
【図９】
2010007291.tif 000011
【図１０】
2010007291.tif 000012
【図１１】
2010007291.tif 000013